(57)【要約】【課題】  表示設定データを変更する場合、表示設定データだけでなく起動ＯＳも同時に同一バージョンに変更できることで、誤りの無く確実な表示設定データの変更を行うことができる表示装置を得ること。【解決手段】  起動OSに付された起動OS名とこの起動OSのバージョンに対応する表示設定データに付された表示設定データ名との組み合わせが記載されている関連付けファイルを格納する不揮発性メモリ４，１３と、メモリ手段４，１３から関連付けファイルを読み出すＣＰＵ２と、読み出された関連付けファイルに記載された起動OS名と表示設定データ名とを認識する起動ＯＳ・表示設定データ認識手段１７とを備え、この起動ＯＳ・表示設定データ認識手段１７により認識し抽出された起動OS名を付された起動OSと表示設定データ名を付された表示設定データとをＣＰＵ２により読み出して起動するもの。【選択図】        図１
2005275497.tif 000002
【特許請求の範囲】
【請求項１】
起動OSに付された起動OS名とこの起動OSのバージョンに対応する表示設定データに付された表示設定データ名との組み合わせが記載されている関連付けファイルを格納するメモリ手段と、
このメモリ手段から前記関連付けファイルを読み出す関連付けファイル読み出し手段と、
この関連付けファイル読み出し手段により読み出された関連付けファイルに記載された起動OS名と表示設定データ名とを認識する起動ＯＳ・表示設定データ認識手段と、
この起動ＯＳ・表示設定データ認識手段により認識し抽出された起動OS名を付された起動OSと表示設定データ名を付された表示設定データとをその格納先から読み出して起動する読み出し起動手段とを備えたことを特徴とする表示装置。
【請求項２】
メモリ手段には複数個の関連付けファイルが格納されるとともに、この格納された複数個の関連付けファイルから所望の関連付けファイルを選択する関連付けファイル選択手段を備えたことを特徴とする請求項１に記載の表示装置。
【請求項３】
格納された全ての起動OS或いは全ての表示設定データに対応して関連付けファイルが作成されていることを特徴とする請求項２に記載の表示装置。
【請求項４】
メモリ手段として第一のメモリ手段と第二のメモリ手段とを有するとともに、
各関連付けファイルには起動OS名と表示設定データ名との組み合わせとそれらデータがいずれのメモリ手段に格納されているかを示すデータ格納先識別子とが記載されており、このデータ格納先識別子により起動OS及び表示設定データが前記第一のメモリ手段か前記第二のメモリ手段のいずれに格納されているかを判断するデータ格納先判断手段を備えたことを特徴とする請求項１乃至３のいずれかに記載の表示装置。
【請求項５】
データ格納先判断手段は、外部接続されたネットワーク上に存在するメモリ手段についても認識することを特徴とする請求項４に記載の表示装置。
【発明の詳細な説明】
【技術分野】
【０００１】
この発明は、工場の生産ライン等でプログラマブルコントローラ等の上位制御装置と接続することにより上位制御装置の情報表示，制御操作を行う表示装置に関するものである。
【背景技術】
【０００２】
従来の一般的な表示装置は、演算・処理を行うＣＰＵ、揮発性メモリであるＲＡＭ、起動ＯＳ及び表示設定データが格納されているフラッシュメモリ等の第一の不揮発性メモリ、液晶ディスプレイ等にタッチパネルが取り付けられ画面表示・タッチ操作を行う表示・操作パネル、外部のパソコンから起動ＯＳや表示画面データや設定が格納される表示設定データを第一の不揮発性メモリに転送するためのシリアル通信インターフェイス（以下適宜、Ｉ／Ｆと記す）等を備えている。
ＣＰＵは起動ＯＳによって表示設定データをＲＡＭに一時的に展開し、表示・操作パネルに転送することにより、画面表示を行っている。
ここで、表示設定データを変更する場合、表示装置のシリアル通信Ｉ／Ｆを通じてパソコンを接続し、第一の不揮発性メモリに格納している表示設定データを別のものに書き換えている。
しかし、起動ＯＳと表示設定データとは同一バージョンである必要があるため、作業者が、これから用いようとする起動ＯＳと表示設定データとのバージョンが合致していることを確認する必要があった。
【０００３】
また、多くの表示装置には、起動ＯＳや表示設定データを格納可能な第二の不揮発性メモリ（以下適宜、メモリカードと記す）を接続するためのメモリカードＩ／Ｆがあり、メモリカードを追加取り付け可能な場合には、あらかじめメモリカードに表示設定データを記憶させておき、メモリカードに記憶されている表示設定データに切り替えて使用する、といったこともできる（例えば、特許文献１参照）。
【０００４】
【特許文献１】特開２００２−７１３１号公報（図１）
【発明の開示】
【発明が解決しようとする課題】
【０００５】
以上に述べたような従来の表示装置では、起動ＯＳや表示設定データのバージョンを変更する場合、起動ＯＳのバージョンと表示設定データのバージョンとが合致しているか確認する必要があり、双方のバージョンが合致していない場合は、起動ＯＳも含めてダウンロードを行う必要があるため、表示設定データ変更の制御が複雑で時間がかかる、という問題点があった。
【０００６】
この発明は、かかる問題点を解決するためになされたもので、表示設定データを設定・変更する場合、起動ＯＳとその起動ＯＳのバージョンに合致した表示設定データとを関連付けて記憶しておくことによって、表示設定データを迅速に設定・変更し、また表示設定データだけでなく起動ＯＳも同時に同一バージョンに変更できることで、誤りの無く確実な表示設定データ設定・変更を行うことができる表示装置を得るものである。
【課題を解決するための手段】
【０００７】
この発明に係る表示装置は、起動OSに付された起動OS名とこの起動OSのバージョンに対応する表示設定データに付された表示設定データ名との組み合わせが記載されている関連付けファイルを格納するメモリ手段と、このメモリ手段から前記関連付けファイルを読み出す関連付けファイル読み出し手段と、この関連付けファイル読み出し手段により読み出された関連付けファイルに記載された起動OS名と表示設定データ名とを認識する起動ＯＳ・表示設定データ認識手段と、この起動ＯＳ・表示設定データ認識手段により認識し抽出された起動OS名を付された起動OSと表示設定データ名を付された表示設定データとをその格納先から読み出して起動する読み出し起動手段とを備えたものである。
【０００８】
また、メモリ手段には複数個の関連付けファイルが格納されるとともに、この格納された複数個の関連付けファイルから所望の関連付けファイルを選択する関連付けファイル選択手段を備えたものである。
【０００９】
また、格納された全ての起動OS或いは全ての表示設定データに対応して関連付けファイルが作成されているものである。
【００１０】
また、メモリ手段として第一のメモリ手段と第二のメモリ手段とを有するとともに、各関連付けファイルには起動OS名と表示設定データ名との組み合わせとそれらデータがいずれのメモリ手段に格納されているかを示すデータ格納先識別子とが記載されており、このデータ格納先識別子により起動OS及び表示設定データが前記第一のメモリ手段か前記第二のメモリ手段のいずれに格納されているかを判断するデータ格納先判断手段を備えたものである。
【００１１】
さらに、データ格納先判断手段は、外部接続されたネットワーク上に存在するメモリ手段についても認識するものである。
【発明の効果】
【００１２】
この発明によれば、メモリ手段に起動OS名と表示設定データ名との組み合わせが記載されている関連付けファイルを格納しておき、このメモリ手段から関連付けファイル読み出し手段によって関連付けファイルを読み出し、この関連付けファイルの記載に基づいて起動ＯＳのバージョンと表示設定データとを組み合わせて読み出すため、起動ＯＳのバージョンと表示設定データのバージョンとが確実に合致しているため、誤りの無い確実な表示設定データ設定・変更を行うことができる、といった効果を奏する。
【発明を実施するための最良の形態】
【００１３】
実施の形態１．
この発明の第一の実施の形態による表示装置を、図１乃至図３を用いて説明する。
図１はこの発明の第一の実施の形態による表示装置の構成を示すブロック図である。
図１において、１は表示装置であり、２は演算・処理を行うＣＰＵ、３は揮発性メモリであるＲＡＭ、４は第一のメモリ手段としての第一の不揮発性メモリ４でフラッシュメモリ等が用いられる、５は液晶ディスプレイ等にタッチパネルが取り付けられ画面表示・タッチ操作を行う表示・操作パネル、６はパソコン７から第一の起動ＯＳ１０や第一の表示設定データ１１を表示装置１の第一の不揮発性メモリ４に転送するためのシリアル通信Ｉ／Ｆ、８は上位制御装置であるシーケンサ９と通信するためのシーケンサＩ／Ｆ、１２はメモリカードＩ／Ｆであり、起動ＯＳや表示設定データを格納可能な第二のメモリ手段としての第二の不揮発性メモリ（以下適宜、メモリカードと記す）１３を接続するためのものである。
第一の不揮発性メモリ４には、第一の起動ＯＳ１０，第一の表示設定データ１１，第一の関連付けファイル１６が格納されている。また、ＣＰＵ２には、起動ＯＳ・表示設定データ認識手段１７を備えている。
なお、ＣＰＵ２が、関連付けファイル読み出し手段と読み出し起動手段との機能を有している。
図２は第一の関連付けファイル１６の内部を表で示した図である。第一の関連付けファイルには起動ＯＳ名として第一の起動ＯＳ１０，表示設定データ名として第一の表示設定データ１１が記載されている。
【００１４】
図３はこの発明の第一の実施の形態による表示装置の動作を表すフローチャートである。
ステップＳ１で表示装置１の電源が投入されると、ステップＳ２でＣＰＵ２は第一の不揮発性メモリ４に記載の第一の関連付けファイル１６を読み出す。ここで図２に、第一の関連付けファイル１６の内容を示す。このファイルの内容に基づき、ステップＳ３でＣＰＵ２内蔵の起動ＯＳ・表示設定データ認識手段１７は起動ＯＳ名が第一の起動ＯＳ１０であり、表示設定データ名が第一の表示設定データ１１であることを認識する。
ステップＳ４でＣＰＵ２は第一の不揮発性メモリ４に格納されている第一の起動ＯＳ１０と第一の表示設定データ１１とを読み出して、ＲＡＭ３に転送する。ステップＳ５でＣＰＵ２は第一の起動ＯＳで起動し、第一の表示設定データ１１を表示・操作パネル５に送ることにより画面データが表示される。
上述のように、この実施の形態のものによれば、所望の関連付けファイルを選択すれば、バージョンが合致した起動ＯＳと表示設定データとが自動的に選択されるので、従来のもののように、人為的な作業による、起動ＯＳと表示設定データとの対応しない組み合わせが選ばれるといった誤りを生じることがなくなる。
【００１５】
実施の形態２．
次に、この発明の第二の実施の形態による表示装置を、図４乃至図６を用いて説明する。
図４はこの発明の第二の実施の形態による表示装置の構成を示すブロック図であり、図４において、符号１乃至１３及び１６，１７で示すものは、上述の図１に示すものと同一または相当のものである。
１４は第二の起動ＯＳ、１５は第二の表示設定データ、１８は関連付けファイル選択手段であり、関連付けファイルの選択を行うと共に現在設定されている関連付けファイル名が格納されている。１９は第一の不揮発性メモリに格納された第二の関連付けファイルである。
【００１６】
図５は、第一の関連付けファイル１６及び第二の関連付けファイル１９の内容を示した図である。第二の関連付けファイルでは起動ＯＳ名に第二の起動ＯＳ，表示設定データ名に第二の表示設定データが記載されている。
【００１７】
図６は実施の形態２を説明するフローチャートである。関連付けファイル選択手段１８に設定・格納された関連付けファイル名を変更することで起動ＯＳ及び表示設定データの変更を行う例を説明している。
図６において、ステップＳ１１で表示装置１に接続されたパソコン７より関連付けファイル変更コマンドが送信される。図７（ａ）が関連付けファイル変更コマンドのフォーマットであり、関連付けファイル変更コマンドに続き、変更する関連付けファイル名、ここでは第二の関連付けファイル、が付加される。ステップＳ１２で表示装置１のＣＰＵ２はコマンドを受信し、ステップＳ１３でコマンドに記載の関連付けファイル名すなわち第二の関連付けファイルが第一の不揮発性メモリ４に格納されているかチェックを行う。
ステップＳ１４で第二の関連付けファイルが格納されていることを確認すると、ステップＳ１５で関連付けファイル選択手段１８に関連付けファイル名、ここでは第二の関連付けファイルを格納する。ステップＳ１６でＣＰＵ２は自己リセットを行い再起動を行う。その後、ステップＳ１７で第一の実施の形態のものと同様の処理（図３のステップＳ２以降）を行い、第二の起動ＯＳ及び第二の表示設定データに変更される。
【００１８】
なお、関連付けファイルを第一の不揮発性メモリ４に追加する場合は、図７（ｂ）に示すフォーマットで関連付けファイル追加コマンドを表示装置１に送信してファイルを追加する。
【００１９】
また、関連付けファイル変更コマンドの送信元はパソコン７以外にシーケンサ９等の制御機器やユーザＩ／Ｆを具備した表示装置１内の設定変更プログラムでも良い。これらの送信元から関連付けファイル変更コマンドを送信する場合は、パソコン７が使用するシリアル通信よりも高速な通信が可能なため、画面変更にかかる時間を少なくすることができる。
【００２０】
この第二の実施の形態のものによれば、それぞれ複数存在する起動OSや表示設定データの中から所望の１つを選ぶ際にも、起動OSと表示設定データとのバージョンが確実に合致した組み合わせとして選ぶことが出来る。
【００２１】
実施の形態３．
次に、この発明の第三の実施の形態による表示装置を、図８及び図９を用いて説明する。
図８はこの発明の第三の実施の形態による表示装置の構成を示すブロック図であり、図８において、符号１乃至１９で示すものは、上述の図４に示すものと同一または相当のものである。２０はデータ格納先判断手段である。メモリカード１３に格納している２１は第三の起動ＯＳ、２２は第四の起動ＯＳ、２３は第三の表示設定データ、２４は第四の表示設定データである。また、２５は第三の関連付けファイルである。関連付けファイル選択手段１８には関連付けファイル名として第三の関連付けファイルが格納されている。
【００２２】
図９は第一乃至第三の関連付けファイルの内容を示しており、図２，５と異なり、第三の関連付けファイル２５が記載され、更に各起動ＯＳ及び各表示設定データの格納先を示す識別子が記載されている。図９により、例えば、第三の関連付けファイル中の第三の起動ＯＳ，第三の表示設定データは共にメモリカード１３に格納されていることが判る。
【００２３】
ＣＰＵ２は、関連付けファイル選択手段１８に設定された第三の関連付けファイル２５の内容を読み出し、第三の起動ＯＳ２１と第三の表示設定データ２３とを選択する。ここでデータ格納先判断手段２０は、第三の起動ＯＳ２１及び第三の表示設定データ２３の格納先を判断する。例えば、第三の関連付けファイル２５では第三の起動ＯＳ２１及び第三の表示設定データ２３が共に、メモリカード１３に格納されていることを判断して、指定の第三の起動ＯＳ２１及び第三の表示設定データ２３を、メモリカード１３からＲＡＭ３に転送して起動を行う。
【００２４】
なお、起動ＯＳ及び表示設定データの格納先はネットワーク上の記憶装置でも良い。この場合の表示装置１の構成例を図１０に示す。上述の図８と異なるのは、ＥＴＨＥＲＮＥＴ（登録商標）等のネットワークＩ／Ｆ２６を通して第五の起動ＯＳ２８，第五の表示設定データ２９が格納されたネットワーク上の記憶装置２７が接続されており、第一の不揮発性メモリ４には第四の関連付けファイル３０が格納されている。また、関連付けファイル選択手段１８には関連付けファイル名、ここでは第四の関連付けファイル、が設定されている。
【００２５】
この場合の第四の関連付けファイルは図１１に示す様に、起動ＯＳ名に第五の起動ＯＳ、表示設定データに第五の表示設定データが設定され、データ格納先としてネットワーク上の記憶装置が設定されている。表示装置１はネットワーク上の記憶装置から第五の起動ＯＳ及び第五の表示設定データをＲＡＭ３に転送して起動を行う。
【００２６】
この第三の実施の形態のものによれば、メモリカード１３やネットワーク上の記憶装置２７などの表示装置１内の第一の不揮発性メモリ４以外のメモリ手段にも起動ＯＳ及び表示設定データを格納することにより、より多くの種類の起動ＯＳ及び表示設定データを選択肢として備えることが出来る。
【図面の簡単な説明】
【００２７】
【図１】この発明の第一の実施の形態による表示装置の構成を示すブロック図。
【図２】この発明の第一の実施の形態による表示装置の関連付けファイルの内部を表で示す図。
【図３】この発明の第一の実施の形態による表示装置の動作を示すフローチャート。
【図４】この発明の第二の実施の形態による表示装置の構成を示すブロック図。
【図５】この発明の第二の実施の形態による表示装置の関連付けファイルの内部を表で示す図。
【図６】この発明の第二の実施の形態による表示装置の動作を示すフローチャート。
【図７】この発明の第二の実施の形態による表示装置の関連付けファイルのコマンドのフォーマットを示す図。
【図８】この発明の第三の実施の形態による表示装置の構成を示すブロック図。
【図９】この発明の第三の実施の形態による表示装置の関連付けファイルの内部を表で示す図。
【図１０】この発明の第三の実施の形態による表示装置の構成を示すブロック図。
【図１１】この発明の第三の実施の形態による表示装置の関連付けファイルの内部を表で示す図。
【符号の説明】
【００２８】
２  ＣＰＵ
４  第一の不揮発性メモリ
１３  第二の不揮発性メモリ（メモリカード）
１７  起動ＯＳ・表示設定データ認識手段
【図１】
2005275497.tif 000003
【図２】
2005275497.tif 000004
【図３】
2005275497.tif 000005
【図４】
2005275497.tif 000006
【図５】
2005275497.tif 000007
【図６】
2005275497.tif 000008
【図７】
2005275497.tif 000009
【図８】
2005275497.tif 000010
【図９】
2005275497.tif 000011
【図１０】
2005275497.tif 000012
【図１１】
2005275497.tif 000013